(57)【要約】【課題】  本発明は、排湿機能、結露防止機能、断熱機能、防水機能、等を形成した壁構造に係るものである。【解決手段】  下地αと外壁材Ａ間の排湿層γの下方部分と上方部分に形成された上開口７と下開口８の、上開口７と下開口８、あるいは上開口７を透湿性を有する部材で閉塞した壁構造である。【選択図】  図１
2005200949.tif 000002
【特許請求の範囲】
【請求項１】
下地と外壁材間の排湿層の下方部分と上方部分に形成された上開口と下開口の、上開口と下開口、あるいは上開口を透湿性を有する部材で閉塞したことを特徴とする壁構造。
【発明の詳細な説明】
【技術分野】
【０００１】
本発明は、排湿機能、結露防止機能、断熱機能、防水機能、等を形成した壁構造に係るものである。
【背景技術】
【０００２】
壁体内が密閉状態の場合、水蒸気の逃げ場が無く、外気温度が低いと外壁材裏面や壁体内に結露が発生する。そこで、壁体内の水蒸気を外気に排出して内部結露を防止したり、土台や柱にしみ込んだ水分を外気に排出するために、外壁材と躯体間に厚さ２０ｍｍ程度の空気層を設ける工法、所謂通気工法が開発された。本来、通気工法とは、壁内結露防止のための工法である。（例えば、特許文献１〜６参照）。
【０００３】
【特許文献１】特開平０９−１１９１７５号公報
【特許文献２】特開平０９−１４４１５２号公報
【特許文献３】特開平１１−２４１４２７号公報
【特許文献４】特開平１１−２９３８０１号公報
【特許文献５】特開２０００−２９１１６９号公報
【特許文献６】特開２００３−３２８４６０号公報
【発明の開示】
【発明が解決しようとする課題】
【０００４】
しかしながら、特許文献１〜６は湿気を排出するが、外気が外壁材の裏面を通過するために、外壁材に断熱性のある部材を形成しても断熱材としての効果を発揮できず、外壁材が断熱材として機能しないものであった。また、窯業系外壁材の雨漏りを防止するために通気工法を採用することが多くなり、現在では雨仕舞いのための工法として考えている人も多い。
【課題を解決するための手段】
【０００５】
本発明はこのような欠点を解決するために、下地と外壁材間の排湿層の下方部分と上方部分に形成された上開口と下開口の、上開口と下開口、あるいは上開口を透湿性を有する部材で閉塞した壁構造を提供するものである。
【発明の効果】
【０００６】
本発明に係る壁構造によれば、（１）壁内の湿気を外部に放出することができる。（２）土台、柱の水分を外部に放出することができる。（３）排湿層を空気が移動しなくなるために、空気層としての断熱性を生かせる。（４）防水性も維持できる。（５）排湿層（壁）内に結露が生じない。（６）結露が生じないので、躯体の腐朽が生じにくい。（７）排湿層（空気層）の外側に位置する外壁材が断熱材として機能する。（８）断熱性を有する外壁材を使用すれば、外壁材の断熱性を生かすことができる。（８）外壁材が断熱材として機能するために、夏季の冷房効率、冬季の暖房効率を高められる。（９）外壁材の断熱性により、外壁材の裏面および壁内の温度が高く保持され、より内部結露の発生が抑えられる。等の特徴、効果がある。
【発明を実施するための最良の形態】
【０００７】
以下に図面を用いて本発明に係る壁構造について詳細に説明する。図１〜図４は本発明に係る壁構造を示す断面図、図５（ａ）〜（ｄ）〜図７（ａ）、（ｂ）は外壁材Ａを示す説明図である。図中、αは下地、βは釘等の固定具、γは排湿層を示している。
【０００８】
下地αは、内装材１、ポリエチレンシート等の防湿層２、主柱、間柱等の躯体３、躯体３間に形成したグラスウール等の断熱材４より形成したものである。
【０００９】
５は防風透湿層（二点鎖線で示す）であり、透湿防水シート（風・雨を通さず湿気だけを通す不織布）、あるいは透湿防水板（透湿性の高いシージングボード、シージングインシュレーションボード、等）よりなり、透湿性、防風性、防水性、等を有する部材より形成したものである。勿論、壁材として確実な防水性（十分な表面止水）が保たれていれば必要はないものである。
【００１０】
６は排湿層成部材であり、排湿層γが上下開口部と連通するように形成したものであり、例えば縦胴縁である。勿論、排湿層γが上下開口部と連通するように形成されれば、横胴縁でも、排湿層形成部材６の替わりに、排湿層γ（溝）を形成した板材を部分的あるいは全面に形成してもかまわない。排湿層形成部材６の材質は、木材、金属材、プラスチック材、等である。
【００１１】
７は上開口、８は下開口であり、排湿層形成部材６により形成された排湿層γと連通し、屋内の湿気を外部に排出するための出口である。
【００１２】
７ａ上透湿部、８ａは下透湿部であり、上開口７、下開口８を透湿性のある部材で閉塞したものである。透湿性のある部材とは、空気を通さず（防風）湿気だけを外部に排出する部材であり、例えば、透湿防水シートである。また、上透湿部７ａと下透湿部８ａは、両方形成したり、下透湿部８ａを形成せずに上透湿部７ａのみを形成するものである。なお、図１では両方形成している場合を示すものである。勿論、上透湿部７ａのみを形成した場合でも、下開口８から排湿層γへの外気の流入はない。
【００１３】
図では、防風透湿層５として透湿防水シートを形成し、透湿防水シートで排湿層形成部材６の上下端部を巻き込むようにカバーし、防水層５の上下端部を上透湿部７ａ、下透湿部８ａとして形成した場合を示すものである。
【００１４】
９は止縁、１０は水切りであり、外壁材Ａの上下端部を納めるための部材である。
【００１５】
１１は防水層（点線で示す）であり、排湿層γ内に雨水等が浸入しないように形成したものである。勿論、外壁材Ａの防水性（十分な表面止水）が保たれていれば必要はないものである。例えば、アスファルトフェルト、透湿防水シート（防風透湿層５と同一部材）、等である。
【００１６】
Ａは外壁材であり、断熱性、防水性、気密性、耐候性、等の機能を有する部材である。例えば、図５（ａ）〜ｄ）、図６に示すような金属製サイディング材等を使用するものである。
【００１７】
また、図７（ａ）、（ｂ）に示す外壁材Ａは、図６に示すような断熱材を形成した金属製サイディング材よりなる外壁材Ａの表面材に、引っ掛けと接着剤による接着により形成し、壁を形成するものである。
【００１８】
次に、図１〜図４（ａ）〜（ｄ）を用いて本発明に係る壁構造の施工方法について説明する。まず、内装材１、ポリエチレンシート等の防湿層２、主柱、間柱等の躯体３、躯体３間に形成したグラスウール等の断熱材４より形成した下地α上に、防風透湿層５（透湿防水シート）を形成する。この場合、排湿層形成部材６の厚さをＷ、上開口７の幅をＨ、下開口８の幅をｈとすると、防風透湿層５はＷ＋Ｈ以上の長さを壁面の上端部分より長く、Ｗ＋ｈ以上の長さを壁面の下端部より長く形成しておく。
【００１９】
その後、厚さ１８ｍｍ×幅４５ｍｍ程度の排湿層形成部材６を４５５ｍｍピッチで縦に複数本固定し、防風透湿層５の上端と下端を排湿層形成部材６の表面側へ折り返し、上端の上透湿部７ａと下端の下透湿部８ａを形成する。
【００２０】
排湿層形成部材６と上透湿部７ａと下透湿部８ａの形成が完了したら、上透湿部７ａと下透湿部８ａを閉塞しないように排湿層形成部材６上にアスファルトフェルトよりなる防水層１１、止縁９、水切り１０を形成する。
【００２１】
その後、防水層１１上に図４（ｂ）に示すような外壁材Ａを施工し、施工を完了するものである。
【００２２】
以上説明したのは本発明に係る壁構造の一実施例にすぎず、図８〜図２６に示すように形成することもできる。
【００２３】
図８〜図１８は本発明に係る壁構造のその他の実施例を示す断面図、図１９〜図２４は本発明に係る壁構造に使用する下地αのその他の実施例を示す断面図、図２５、図２６は本発明に係る壁構造のその他の実施例を示す断面図ある。
【００２４】
図８〜図１８において、図８は外壁材Ａと水切り１０間に、下開口８、下透湿部８ａを形成した壁構造、図９は外壁材Ａと水切り１０間に、下開口８を形成した壁構造、図１０は上開口７、上透湿部７ａ、下開口８を形成した壁構造である。
【００２５】
図１１は上開口７、上透湿部７ａ、下開口８、下透湿部８ａを形成し、防水層１１を削除した壁構造、図１２は上開口７、上透湿部７ａ、下開口８を形成し、防水層１１を削除した壁構造である。
【００２６】
図１３は防風透湿層５を防水層１１として外壁材Ａの裏面に形成し、防水層１１として形成した防風透湿層５により上透湿部７ａ、下透湿層８ａを形成した壁構造、図１４は防風透湿層５を防水層１１の替わりに外壁材Ａの裏面に形成し、防水層１１として形成した防風透湿層５により上透湿部７ａを形成した壁構造である。
【００２７】
図１５は防風透湿層５を削除し、上下端部にのみ防風透湿層５を形成して上開口７、上透湿部７ａ、下開口８、下透湿部８ａを形成した壁構造、図１６は防風透湿層５を削除し、上下端部にのみ防風透湿層５を形成して上開口７、上透湿部７ａ、下開口８を形成した壁構造である。
【００２８】
図１７は防風透湿層５、防水層１１を削除し、上下端部にのみ防風透湿層５を形成して上開口７、上透湿部７ａ、下開口８、下透湿部８ａを形成した壁構造、図１８は防風透湿層５、防水層１１を削除し、上下端部にのみ防風透湿層５を形成して上開口７、上透湿部７ａ、下開口８を形成した壁構造である。
【００２９】
図１９〜図２４において、図１９は内装材１、ポリエチレンシート等の防湿層２、主柱、間柱等の躯体３、躯体３間に形成したグラスウール等の断熱材４より形成した下地α、図２０は図１９の下地αに構造用面材１２を形成した下地α、図２１は図１９の下地αに外張断熱層１３を形成した下地α、図２２は図２１の下地αに防風透湿層５を形成した下地α、図２３は図２１の下地αの断熱材４を削除した下地α、図２４は図２３の下地α上に防風透湿層５を形成した下地αである。
【００３０】
構造用面材１２の一例としては、構造用合板であり、建築物の構造耐力上主要な部分に使用する合板である。構造用合板の構造用合板１級（特類・１類）とは、２×４住宅（ツーバイフォー）等の建築物の耐力構造上必要な部位に使用される合板で、Ｋプライと呼ばれるものである。寸法は厚さ７．５〜２４ｍｍ、幅＝９１０・１２２０ｍｍ、等（幅は任意）、長さ＝１８２０・２４３０・２７３０ｍｍ、等（長さは任意）である。単板の厚さが規定され、それによって合板の強度保証をしているものである。また、構造用合板の構造用合板２級（特類・１類）とは、１級と同様に使用されるが針葉樹合板が主としたものである。寸法は厚さ＝５．５〜２４ｍｍ、幅＝９１０・１２２０ｍｍ、等（幅は任意）、長さ＝１８００・１８２０・２４３０・２７３０ｍｍ、等（長さは任意）である。外装用には「特類」を使用すると良いものである。
【００３１】
断熱層１３は、例えば、ウレタンフォーム、押出ポリスチレン、フェノールフォーム、等の合成樹脂発泡体よりなるもの、あるいはこれら合成樹脂発泡体をシート材、板材（石膏ボード、セメント板、炭酸カルシウム板、珪酸カルシウム板、木片セメント板、炭酸マグネシウム板、シージングボード、シージングインシュレーションボード、合板、等）でサンドイッチした複合板である。
【００３２】
図２５、図２６は排湿層形成部材６を軒天よりも内部まで形成し、湿気を軒天井、あるいは小屋裏の空間（小屋裏換気口）等の排気口から外気へ排出するように形成した構造である。
【００３３】
勿論、図２０〜図２３の下地αを、図１、図８〜図１８、図２５、図２６の壁構造（下地α以外の構造）と組み合わせて形成することができるものである。
【産業上の利用可能性】
【００３４】
本発明に係る壁構造によれば、外壁材Ａの裏面に通気層（排湿層）を形成した壁構造では、外壁材Ａとして断熱性の有る部材を形成しても外壁材Ａが断熱材として認められなかったが、通気層を排湿層γとすることで、通気層の本来の意義である内部結露防止の効果を生かし、さらに、断熱性のある外壁材Ａ断熱効果を生むことで、外壁材裏面および壁内の温度を高く保つことが可能となり、省エネルギーと壁内結露の防止効果を高めることができる工法となる。これは、今までの通気工法にように、外壁材の裏面と下地間の通気路を外気が移動することにより結露を防止する構造とは異なり、湿気だけを外部に排出できる構造であるために、断熱性を有する外壁材の性能を有効に活用できるものである。
【図面の簡単な説明】
【００３５】
【図１】本発明に係る壁構造の代表的一例を示す説明図である。
【図２】本発明に係る壁構造の代表的一例を示す説明図である。
【図３】本発明に係る壁構造の代表的一例を示す説明図である。
【図４】本発明に係る壁構造の代表的一例を示す説明図である。
【図５】本発明に係る壁構造に使用する外壁材の代表的一例を示す説明図である。
【図６】本発明に係る壁構造に使用する外壁材の代表的一例を示す説明図である。
【図７】本発明に係る壁構造に使用する外壁材の代表的一例を示す説明図である。
【図８】本発明に係る壁構造のその他の実施例を示す断面図である。
【図９】本発明に係る壁構造のその他の実施例を示す断面図である。
【図１０】本発明に係る壁構造のその他の実施例を示す断面図である。
【図１１】本発明に係る壁構造のその他の実施例を示す断面図である。
【図１２】本発明に係る壁構造のその他の実施例を示す断面図である。
【図１３】本発明に係る壁構造のその他の実施例を示す断面図である。
【図１４】本発明に係る壁構造のその他の実施例を示す断面図である。
【図１５】本発明に係る壁構造のその他の実施例を示す断面図である。
【図１６】本発明に係る壁構造のその他の実施例を示す断面図である。
【図１７】本発明に係る壁構造のその他の実施例を示す断面図である。
【図１８】本発明に係る壁構造のその他の実施例を示す断面図である。
【図１９】本発明に係る壁構造のその他の実施例を示す断面図である。
【図２０】本発明に係る壁構造のその他の実施例を示す断面図である。
【図２１】本発明に係る壁構造のその他の実施例を示す断面図である。
【図２２】本発明に係る壁構造のその他の実施例を示す断面図である。
【図２３】本発明に係る壁構造のその他の実施例を示す断面図である。
【図２４】本発明に係る壁構造のその他の実施例を示す断面図である。
【図２５】本発明に係る壁構造のその他の実施例を示す断面図である。
【図２６】本発明に係る壁構造のその他の実施例を示す断面図である。
【符号の説明】
【００３６】
α  下地
β  固定具
γ  排湿層
Ａ  外壁材
１  内装材
２  防湿層
３  躯体
４  断熱材
５  防風透湿層
６  排湿層形成部材
７  上開口
７ａ  上透湿部
８  下開口
８ａ  下透湿部
９  止縁
１０  水切り
１１  防水層
１２  構造用面材
１３  外張断熱層
【図１】
2005200949.tif 000003
【図２】
2005200949.tif 000004
【図３】
2005200949.tif 000005
【図４】
2005200949.tif 000006
【図５】
2005200949.tif 000007
【図６】
2005200949.tif 000008
【図７】
2005200949.tif 000009
【図８】
2005200949.tif 000010
【図９】
2005200949.tif 000011
【図１０】
2005200949.tif 000012
【図１１】
2005200949.tif 000013
【図１２】
2005200949.tif 000014
【図１３】
2005200949.tif 000015
【図１４】
2005200949.tif 000016
【図１５】
2005200949.tif 000017
【図１６】
2005200949.tif 000018
【図１７】
2005200949.tif 000019
【図１８】
2005200949.tif 000020
【図１９】
2005200949.tif 000021
【図２０】
2005200949.tif 000022
【図２１】
2005200949.tif 000023
【図２２】
2005200949.tif 000024
【図２３】
2005200949.tif 000025
【図２４】
2005200949.tif 000026
【図２５】
2005200949.tif 000027
【図２６】
2005200949.tif 000028